(57)【要約】【課題】  立体駐車場等の塔状構築物の周囲外郭部の構築を、容易、かつ、安全に行えるようにする。【解決手段】  塔状構築物の周囲外郭部１００となる位置の内側にガイドマスト１０１を立設し、ガイドマスト１０１への係合作動機構を備える昇降移動作業台１をガイドマスト１０１に係合して配置し、塔状構築物の周囲外郭部１００の構築を行う塔状構築物の周囲外郭部の構築方法、及び、ガイドマスト１０１への係合作動機構を備える第１の作業用デッキ３と、ガイドマスト１０１への係合作動機構を備え、第１の作業用デッキ３と平面位置において所定の間隔あけて並設配置される第２の作業用デッキ５と、第１の作業用デッキ３上と第２の作業用デッキ５上とを互いに行き交いできるように設けられる通行路７とから構成される昇降移動作業台。【選択図】図１
2018084133.tif 000002
【特許請求の範囲】
【請求項１】
塔状構築物の周囲外郭部となる位置の内側にガイドマストを立設し、
前記ガイドマストへの係合作動機構を備える昇降移動作業台を前記ガイドマストに係合して配置し、
前記塔状構築物の周囲外郭部の構築を行う、
ことを特徴とする塔状構築物の周囲外郭部の構築方法。
【請求項２】
前記塔状構築物が立体駐車場である請求項１記載の塔状構築物の周囲外郭部の構築方法。
【請求項３】
ガイドマストへの係合作動機構を備える第１の作業用デッキと、
ガイドマストへの係合作動機構を備え、前記第１の作業用デッキと平面位置において所定の間隔あけて並設配置される第２の作業用デッキと、
前記第１の作業用デッキ上と前記第２の作業用デッキ上とを互いに行き交いできるように設けられる通行路と、
から構成されることを特徴とする昇降移動作業台。
【請求項４】
前記通行路が切り離し状態に設けられてなる請求項３記載の昇降移動作業台。
【請求項５】
前記第１の作業用デッキと前記第２の作業用デッキとに、外方に突出移動可能である補助作業用デッキが設けられてなる請求項３記載の昇降移動作業台。
【請求項６】
立体駐車場の構築に使用される請求項３、４または５記載の昇降移動作業台。
【発明の詳細な説明】
【技術分野】
【０００１】  この発明は、立体駐車場等の塔状構築物の周囲外郭部の構築方法及びそこにおいて使用される昇降移動作業台に関する。
【背景技術】
【０００２】  立体駐車場を構築は鉄骨が組まれた外郭構造体を順次積み上げることにより行うが、その積み上げて固定する作業はクレーンにより吊り下げられる作業台上の作業者により行われる。
【発明の概要】
【発明が解決しようとする課題】
【０００３】  最近の立体駐車場はその高さが非常に高くなり、それに対応して使用するクレーンもその吊り下げ高さが高いものが必要となり、そのような吊り下げ高さが高いクレーンは強度上製作が難しく、また、現場への移動も困難となる問題がある。さらに、吊り下げ高さが高いクレーンの使用には危険が伴う問題が有る。
【課題を解決するための手段】
【０００４】  この発明は上記の事情に鑑みて行ったもので、クレーンを用いることなく立体駐車場等の構築が行えるようにすることを目的とする。【０００５】  請求項１の発明では、塔状構築物の周囲外郭部となる位置の内側にガイドマストを立設し、前記ガイドマストへの係合作動機構を備える昇降移動作業台を前記マストに係合して配置し、前記塔状構築物の周囲外郭部の構築を行うことを特徴とする塔状構築物の周囲外郭部の構築方法を提供する。【０００６】  上記発明の構成によれば、昇降移動作業台を使用して塔状構築物の周囲外郭部の構築を行うことができるようになり、とくに、立体駐車場等の塔状構築物の周囲外郭部の構築が容易、かつ、安全に行えるようになる。【０００７】  請求項３の発明では、ガイドマストへの係合作動機構を備える第１の作業用デッキと、ガイドマストへの係合作動機構を備え、前記第１の作業用デッキと平面位置において所定の間隔あけて並設配置される第２の作業用デッキと、前記第１の作業用デッキ上と前記第２の作業用デッキ上とを互いに行き交いできるように設けられる通行路と、から構成されることを特徴とする昇降移動作業台を提供する。【０００８】  上記発明の構成によれば、第１の作業用デッキと第２の作業用デッキとが並設され、かつ、第１の作業用デッキ上と第２の作業用デッキ上とが通行路により互いに行き交いできるので、作業者は第１の作業用デッキと第２の作業用デッキの上を自由に移動して作業できる。その結果、この昇降移動作業台が塔状構築物の周囲外郭部内等に配置されて使用されることで、一人の作業者によって塔状構築物の周囲外郭部の構築容易に行えるようになる。【０００９】  昇降移動作業台の通行路が切り離し状態に設けられることで、第１の作業用デッキと第２の作業用デッキとがそれぞれ独立して昇降移動でき便利に使用される。【００１０】  昇降移動作業台において、第１の作業用デッキと第２の作業用デッキとに外方に突出移動可能である補助作業用デッキが設けられることで、塔状構築物の周囲外郭部の外側位置の作業が補助作業用デッキ上において容易、かつ、安全に行われる。【００１１】  この発明の昇降移動作業台は立体駐車場の構築に好適に用いられる。
【発明の効果】
【００１２】  請求項１の発明、請求項３の発明によれば、立体駐車場等の塔状構築物の周囲外郭部の構築が容易、かつ、安全に行えるようになる。
【図面の簡単な説明】
【００１３】
【図１】  この発明の昇降移動作業台の外観斜視図
【図２】  この発明の立体駐車場の構築方法を示す外観略図
【図３】  この発明の立体駐車場の構築方法を示す平面略図
【図４】  この発明の昇降移動作業台の回路構成略図
【図５】  この発明の昇降移動作業台のリミットスイッチの取り付け状態を示す側面略図
【図６】  この発明の昇降移動作業台のリミットスイッチの動作説明のための側面略図
【発明の好ましい実施形態】
【００１４】  図１は請求項３の発明の昇降移動作業台の外観斜視図である。昇降移動作業台１は第１の作業用デッキ３と第２の作業用デッキ５とからなり、第１の作業用デッキ３と第２の作業用デッキ５とは平面位置において所定の間隔あけて並設配置され、第１の作業用デッキ３上と第２の作業用デッキ５上とが互いに行き交いできるように一対の通行路７が設けられている。通行路７は第１の作業用デッキ３と第２の作業用デッキ５との内側部に突出形成された通行路片９のそれぞれが互いに突き合わされることで形成され、通行路７はその中央位置で切り離し状態に設けられている。１１はコネクタであり、一方の通行路７上において第１の作業用デッキ３と第２の作業用デッキ５との配線を接続する。
【００１５】  第１の作業用デッキ３と第２の作業用デッキ５とは同構成で、平面形状が略短冊形態のデッキプレート１０の上面の外側部中央にはガイドマストの囲い部１２が立設され、上面の内側部のガイドマストの囲い部１２の近傍には操作盤１３ａ、操作盤１３ｂが設けられ、両端部上には第１の補助作業用デッキ１４と第２の補助作業用デッキ１６とが設けられている。図に現れないが、デッキプレート１０下面のガイドマストの囲い部１２の近傍位置には、モータとそれに連動するピニオン等から構成されるマストへの係合作動機構が配置されている。
【００１６】  第１の補助作業用デッキ１４は、両側下部に沿って突設された一対のガイド棒１８を備え、そのガイド棒１８がデッキプレート１０の下面に付設されている角筒状の補強桟２０内に移動可能に納められて設けられている。このように補強桟２０がガイドレールとして使用されることで、第１の補助作業用デッキ１４は別途ガイドレール等を設けることなく、かつ、安定して配置される。第２の補助作業用デッキ１６はその側部がデッキプレート１０上に設けられた一対のガイドレール２２に嵌合されて設けられている。ガイドレール２２はその両端が、デッキプレート１０を通して補強桟２０上に立設された一対の柱体２４上に架け渡された一対の取り付け片２６上に固定されて取り付けられ、これにより安定した取り付け構造となっている。第２の補助作業用デッキ１６がデッキプレート１０面から離間する位置に高く配置されたことで、第１の補助作業用デッキ１４は支障なく移動できる。補強桟２０とガイドレール２２との内部には移動用コロが設けられている。
【００１７】  第１の補助作業用デッキ１４と第２の補助作業用デッキ１６とは上記のように設けられていることでともに水平方向に移動可能であり、図１の第１の作業用デッキ３における納められた状態から、第２の作業用デッキ５における外方へ突出した状態とできる。第１の補助作業用デッキ１４の柵１５は取り外し可能で、第１の補助作業用デッキ１４が納められる際に取り外される。
【００１８】  次に、図２、図３を用いて請求項１の発明の塔状構築物の周囲外郭部の構築方法を説明する。図２は立体駐車場の構築方法を示す外観略図、図３は同平面略図である。１００は立体駐車場の骨組みとなる周囲外郭部であり、その内側に一対のガイドマスト１０１が立設され、それらガイドマスト１０１のそれぞれに第１の作業用デッキ３と第２の作業用デッキ５との係合作動機構のそれぞれが係合されることで上記の昇降移動作業台１が昇降移動可能に設けられている。
【００１９】  昇降移動作業台１は第１の作業用デッキ３上と第２の作業用デッキ５上とが通行路７により互いに行き交いできることで、周囲外郭部１００の適宜の位置に対応して作業者が容易に移動でき、これにより一人による作業が可能となる。従来２台のゴンドラ使用ではそれぞれに作業者が必要であり、同様の作業を行う場合には２名必要であった。また、周囲外郭部１００の構築に当たっては、図３のａ、ｂに示す外面位置においてボルト固定等の作業が必要となる。そのような場合は第１の補助作業用デッキ１４と第２の補助作業用デッキ１６とを矢印Ａ、Ｂの方向に移動させて外方に突出させることで、その作業が容易、かつ、安全に行われる。
【００２０】  次に昇降移動作業台１の回路構成と昇降動作の説明を行う。図４は上昇移動のための回路構成を示し、第１の作業用デッキ３において、作動操作盤１３ａには第１のリレースイッチ接点２０１が設けられ、作動操作盤１３ａと第１のモータ２０２との間には第２のリレースイッチ接点２０４が設けられている。第２の作業用デッキ５において、作動操作盤１３ｂには第１のリレースイッチ接点２０６が設けられ、作動操作盤１３ｂと第２のモータ２０８との間には第２のリレースイッチ接点２０９が設けられている。２０７はコネクタ１１のコネクタ端子である。上記の上昇移動のための回路は第１のモータ２０２、第２のモータ２０８の上昇回転用接続端子に接続されている。図示しないが、第１の作業用デッキ３、第２の作業用デッキ５には下降移動のための同様の回路が別途備えられており、その回路は第１のモータ２０２、第２のモータ２０８の下降回転用接続端子に接続されている。
【００２１】  第１の補助作業用デッキ１４と第２の補助作業用デッキ１６それぞれの裏面側には、第１の補助作業用デッキ１４と第２の補助作業用デッキ１６が水平移動する際に周囲外郭部１００に接触作動するリミットスイッチが取り付けられ、それらリミットスイッチにより第１の補助作業用デッキ１４と第２の補助作業用デッキ１６とが外方に突出したことが検知され、その検知信号に対応して第１のリレースイッチ接点２０１、２０６は「開」「閉」作動する。また、第１の作業用デッキ３と第２の作業用デッキ５それぞれの通行路片９の互いに突き合わされた部分の下縁それぞれには、図５に示すようにリミットスイッチ２１０のそれぞれが取り付けられ、リミットスイッチ２１０のそれぞれによって同期移動に際しての突き合わされた通行路片９それぞれの面一状態が検知され、その検知信号に対応して第２のリレースイッチ接点２０４，２０９は「開」「閉」作動する。
【００２２】  例えば、図６に示すように、第１の作業用デッキ３の通行路片９（左側）の方が高くなった場合には、第１の作業用デッキ３側のリミットスイッチ２１０が作動されることで面一でないことが検知され、上昇移動の際にはその検知信号により第１の作業用デッキ３側の第２のリレースイッチ接点２０４が「開」となり、下降移動の際にはその検知信号により第２の作業用デッキ５側の第２のリレースイッチ接点２０９が「開」となる。これにより、上昇移動の際には高く位置する第１の作業用デッキ３が上昇を停止し、低く位置する第２の作業用デッキ５の上昇が継続することで、図５の通行路片９それぞれが面一となる状態に復帰する。下降移動の際には低く位置する第２の作業用デッキ５が下降を停止し、高く位置する第１の作業用デッキ３が下降を継続することで、通行路片９それぞれが面一となる状態に復帰する。
【００２３】  図４における回路は第１の作業用デッキ３と第２の作業用デッキ５とが同高さにおいて同期移動される接続状態を示し、第１の作業用デッキ３側において第１のリレースイッチ接点２０１と第２のリレースイッチ接点２０４とは「閉」となっている。第２の作業用デッキ５側において第１のリレースイッチ接点２０６と第２のリレースイッチ接点２０９とは「閉」となっている。コネクタ端子２０７はコネクタ１１が連結されていることで接続している。この状態において第１の作業用デッキ３の作動操作盤１３ａにおいて上昇作動ボタン２２３が押されると作動接点２２５が「閉」となり、駆動電源が作動操作盤１３ａから一方においては第１のモータ２０２に与えられ、他方においてはコネクタ接点２０７が接続していることで第２のモータ２０８に与えられ、第１のモータ２０２と第２のモータ２０８とがともに正転駆動される。
【００２４】  第１の作業用デッキ３の作動操作盤１３ａにおいて上昇作動ボタン２２３が継続して押されることで第１の作業用デッキ３と第２の作業用デッキ５とは同じスピードで上昇して同期上昇移動する。また、第１の作業用デッキ３の作動操作盤１３ａにおいて下降作動スイッチが継続して押された場合は、第１のモータ２０２と第２のモータ２０８とがともに逆転駆動され、第１の作業用デッキ３と第２の作業用デッキ５とは同じスピードで下降して同期下降移動する。上昇作動ボタン２２３、下降作動ボタンの操作に伴って第２のリレースイッチ接点２０４、２０９を備えるリレースイッチの駆動回路も切り替えられる。また、第２の作業用デッキ５の作動操作盤１３ｂにおいて上昇作動ボタン２２３、下降作動ボタンが継続して押されることでも上記と同様に第１の作業用デッキ３と第２の作業用デッキ５とは同期して昇降移動する。上昇作動ボタン２２３、下降作動ボタンには操作ロック機構が備えられており、操作ロック機構が解除された作動ボタンだけが操作可能とされている。これにより第１の作業用デッキ３と第２の作業用デッキ５とのどちらかにおいてのみ操作可能とできることで、複数の作業者がいる場合の安全性が図られている。
【００２５】  上記の同期昇降移動において、何らかの理由により突き合わされた第１の作業用デッキ３と第２の作業用デッキ５との通行路片９それぞれの面一状態がくずれた場合には、上記したように第２のリレースイッチ接点２０４またはリレースイッチ接点２０９が「開」とされることで面一状態に復帰される。また、第１の作業用デッキ３と第２の作業用デッキ５において第１の補助作業用デッキ１４と第２の補助作業用デッキ１６とのいずれかのものが外方に突出した位置にある場合は、その検知信号に対応して第１のリレースイッチ接点２０１、２０６が「開」となり、第１のモータ２０２、第２のモータ２０８はともに作動されることがない。これにより突出した第１の補助作業用デッキ１４と第２の補助作業用デッキ１６とが立体駐車場の周囲外郭部１００に衝突することが回避される。
【００２６】  コネクタ１１が離脱されることでコネクタ端子２０７が離間すると、作動操作盤１３ａは第１のモータ２０２と、作動操作盤１３ｂは第２のモータ２０８とそれぞれが別途接続される状態となり、この状態において作動操作盤１３ａ、作動操作盤１３ｂを操作することで、第１の作業用デッキ３と第２の作業用デッキ５とは独立して昇降移動される。例えば、第１の作業用デッキ３の第１のモータ２０２が故障して昇降移動が行えない場合にはコネクタ１１の連結が手作業で離脱され、その状態において第２のモータ２０８が駆動されることで第２の作業用デッキ５のみが昇降され、その使用が可能となって作業が行える。この場合においても、第２の作業用デッキ５の補助作業用デッキ１４と第２の補助作業用デッキ１６とのいずれかのものが外方に突出した位置にある場合は、第２のモータ２０８は作動されることがなく、第１の補助作業用デッキ１４と第２の補助作業用デッキ１６との周囲外郭部１００への衝突は回避される。
【符号の説明】
【００２７】１  昇降移動作業台
３  第１の作業用デッキ
５  第２の作業用デッキ
７  通行路７
１００  周囲外郭部
１０１  ガイドマスト
【図１】
2018084133.tif 000003
【図２】
2018084133.tif 000004
【図３】
2018084133.tif 000005
【図４】
2018084133.tif 000006
【図５】
2018084133.tif 000007
【図６】
2018084133.tif 000008